(57)【要約】【課題】固定部材の外周にビス案内溝を設けて、レンズ保持部材のビスの位置を規定することにより、レンズ保持部材の傾き調整を容易に行う。【解決手段】固定部材５の外周面には、４個のビス案内溝８ａ〜８ｄが設けられている。レンズ保持部材１の４個のビス孔８にそれぞれ止めビス６を螺合し仮止めする。レンズ保持部材１を固定部材５に嵌合し、ビス案内溝８ａ〜８ｄ内にビス引込溝９を介して止めビス６を導入して、レンズ保持部材１の回動により止めビス６をビス案内溝８ａ〜８ｄに沿って移動できるようにする。レンズ保持部材１を固定部材５に対して１／４回転する過程において、複数方向の傾きが得られる。  各ビス案内溝８ａ〜８ｄは大きくは４個所の領域に分けられ、上下方向、左右方向、右斜め４５度方向、左斜め４５度方向の傾きが得られ、調整すべき領域に止めビス６を移動し、レンズ保持部材１を微小回転して、第１レンズ群Ｌ１の傾きを調整する。【選択図】図２
2010049081.tif 000002
【特許請求の範囲】
【請求項１】
複数のビス案内溝を外周に沿って設けた固定部材と、レンズを保持し前記固定部材に対し前記レンズの中心軸を中心に回転自在であり、複数個所に取り付けたビスを前記ビス案内溝に挿通し前記回転により前記ビス案内溝の傾斜に従って前記レンズの前記固定部材に対する傾きを調整可能なレンズ保持部材とを有し、前記ビス案内溝は前記レンズ保持部材の所定の回転角範囲において、前記レンズの各方向の傾きを実現する傾斜を有し、前記レンズの傾き調整後に前記ビスを前記ビス案内溝に対し締め付けて固定することを特徴とするレンズ鏡筒。
【請求項２】
前記ビス案内溝の傾斜はカム形状によるものとしたことを特徴とする請求項１に記載のレンズ鏡筒。
【請求項３】
前記ビス案内溝は滑らかな傾斜を有することを特徴とする請求項１に記載のレンズ鏡筒。
【請求項４】
前記ビス案内溝及び前記ビスは４個とし、前記レンズ保持部材は前記固定部材に対し１／４回転することを特徴とする請求項１に記載のレンズ鏡筒。
【請求項５】
請求項１〜４の何れかに記載のレンズ鏡筒を備えたカメラ。
【発明の詳細な説明】
【技術分野】
【０００１】
本発明は、レンズ保持部材に保持したレンズの傾き調整を容易に実施できるレンズ鏡筒に関するものである。
【背景技術】
【０００２】
カメラのレンズ鏡筒内に配置されたレンズの周辺収差や像面倒れを調整する機構として、レンズを保持したレンズ保持部材を固定部材に対して傾けて調整する方法が知られている。
【０００３】
特許文献１〜３には、傾き調整をする部材として、レンズ保持部材と固定部材の間にスペーサやばね部品、回転するカムリング等を挟み込み、固定部材とレンズ保持部材間で傾きを発生させる方法が知られている。
【０００４】
【特許文献１】特開２００３−２７９８２３号公報
【特許文献２】特開２００１−３０５４０８号公報
【特許文献３】特開２０００−３５２６４８号公報
【発明の開示】
【発明が解決しようとする課題】
【０００５】
上述の従来例では、レンズの傾き量を確保するためには、複数のスペーサ、調整ねじ、別部品を使用し構成が複雑になり、また多数の別部品を必要としコストが上昇することになる。レンズ取付部の位置によっては傾き調整すべき方向とは合致せず、略調整方向での傾き方向となり、十分な調整量が得られないことがある。
【０００６】
また、レンズ取付部に段差を設けて、レンズ保持部材を傾ける場合には、レンズ保持部材を傾けるための回転中心がその都度ずれることになり、本来の傾き調整以外にレンズ保持部材の軸ずれも発生し、傾き調整以外の軸修正も必要となる。
【０００７】
本発明の目的は、上述の問題点を解消し、固定部材の外周にビス案内溝を設けて、レンズ保持部材のビスの位置を規定することにより、レンズ保持部材の傾き調整を容易に行うレンズ鏡筒を提供することにある。
【課題を解決するための手段】
【０００８】
上記目的を達成するための本発明に係るレンズ鏡筒は、複数のビス案内溝を外周に沿って設けた固定部材と、レンズを保持し前記固定部材に対し前記レンズの中心軸を中心に回転自在であり、複数個所に取り付けたビスを前記ビス案内溝に挿通し前記回転により前記ビス案内溝の傾斜に従って前記レンズの前記固定部材に対する傾きを調整可能なレンズ保持部材とを有し、前記ビス案内溝は前記レンズ保持部材の所定の回転角範囲において、前記レンズの各方向の傾きを実現する傾斜を有し、前記レンズの傾き調整後に前記ビスを前記ビス案内溝に対し締め付けて固定することを特徴とする。
【発明の効果】
【０００９】
本発明に係るレンズ鏡筒によれば、レンズ保持部材を固定部材に対し回転することにより、固定部材に設けた複数のビス案内溝に挿通したレンズ保持部材のビスの位置によりレンズを傾けて調整する。
【発明を実施するための最良の形態】
【００１０】
本発明を図示の実施例に基づいて詳細に説明する。
図１は実施例のカメラのレンズ鏡筒の縦断面図を示している。光軸に沿って、第１〜第４レンズ群Ｌ１〜Ｌ４が順次に配列されている。第１レンズ群Ｌ１は回転可能なレンズ保持部材１に保持され、第２レンズ群Ｌ２は倍率変化レンズ保持部材２に保持され、第３レンズ群Ｌ３は固定アフォーカルレンズ保持部材３に保持され、第４レンズ群Ｌ４はフォーカスレンズ保持部材４に保持されている。このように、各レンズ保持部材１〜４にはそれぞれ撮影用光学レンズが保持され、４群構成のリヤフォーカス光学系が構成されている。
【００１１】
レンズ保持部材１は固定部材５の円筒形の端部に嵌め込まれ、止めビス６により固定され、更に固定部材５には撮像素子取付部材７が縦続されている。
【００１２】
レンズ保持部材１はその中心軸を中心に回転自在とされ、円筒形の固定部材５の先端部により覆われている。レンズ保持部材１の外周の複数個所、例えば４個所に固定部材５に対する取付部が設けられ、各取付部には止めビス６を螺合するビス孔８がレンズ保持部材１の半径方向に対し形成されている。
【００１３】
図２はレンズ鏡筒の端部を四方から見た側面図であり、固定部材５の円筒形部には、止めビス６に対応する４個のビス案内溝８ａ〜８ｄが設けられている。これらのビス案内溝８ａ〜８ｄに端部の外周面に沿って設けられ、固定部材５の端部側には、各ビス案内溝８ａ〜８ｄに連通するビス引込溝９が形成されている。
【００１４】
レンズ保持部材１を固定部材５に固定するには、４個の止めビス６の先端をレンズ保持部材１のビス孔８にそれぞれ螺合し仮止めする。止めビス６は先端にねじ部６ａを有し、頭部６ｂにドライバによる駆動のための十字溝を有している。
【００１５】
このように、止めビス６を仮固定したレンズ保持部材１を固定部材５に嵌合し、ビス案内溝８ａ〜８ｄ内にビス引込溝９を介して止めビス６を導入して、レンズ保持部材１の回動により止めビス６をビス案内溝８ａ〜８ｄに沿って移動できるようにする。
【００１６】
つまり、ビンの口に蓋をする際に、蓋を回して締めるように、レンズ保持部材１は固定部材５に対し、回転することにより第１レンズ群Ｌ１の傾きが調整可能となっている。即ち、レンズ保持部材１を固定部材５に対して１／４回転する過程において、複数方向の傾きが得られる。
【００１７】
図２においては、説明のためにビス案内溝８ａ〜８ｄのカム形状は誇張して画いているが、実際には更に滑らかなカム溝とされ、各ビス案内溝８ａ〜８ｄの形状は異なっている。各ビス案内溝８ａ〜８ｄは大きくは４個所の領域に分けられ、上下方向、左右方向、右斜め４５度方向、左斜め４５度方向の傾きが得られ、調整すべき領域に止めビス６を移動し、レンズ保持部材１を微小回転して、第１レンズ群Ｌ１の傾きを調整することができる。
【００１８】
第１レンズ群Ｌ１の調整に当っては、光学測定装置を用いて、傾斜を測定する。そして、傾斜を調整すべき領域において、固定部材５に対してレンズ保持部材１を回転させる。ビス案内溝８ａ〜８ｄのカム溝は、所定の回転角範囲の回転により第１レンズ群Ｌ１を傾きを実現できるように形成されているので、傾斜を調整することができる。調整後に、止めビス６をレンズ保持部材１に対し締め付けて、ビス案内溝８ａ〜８ｄに対する位置を固定する。なお、上述の実施例においては、ビス案内溝８ａ〜８ｄはカム溝としたが、緩やかな傾斜溝であってもよい。
【図面の簡単な説明】
【００１９】
【図１】縦断面図である。
【図２】各方向から見た要部の側面図である。
【符号の説明】
【００２０】
１  レンズ保持部材
５  固定部材
６  止めビス
８ａ〜８ｂ  ビス案内溝
９  ビス引込溝
Ｌ１  第１レンズ群
【図１】
2010049081.tif 000003
【図２】
2010049081.tif 000004